(57)【要約】【課題】  マスターストロボ装置からの予備発光に係る制御信号を取りこぼすことなく、確実に同調制御ができるスレーブストロボ装置を提供する。【解決手段】  本発明に係るスレーブストロボ装置は、マスターストロボ装置からの予備発光を受光し、受光量に応じた受光信号を生成する受光センサ１と、前記受光信号を微分する微分回路３と、前記微分回路３の出力部とグランド間に設置され、カソード端子が前記微分回路３に接続されるダイオード６と、前記微分回路３の出力信号を制御用の電圧レベルに変換する電圧変換回路４からなる受光回路を備えている。これにより、前記予備発光を連続して受信した際に、前記微分回路３の出力信号の波形の頭部が下がるという現象がなくなり、確実なワイヤレス通信が可能となる。【選択図】  図１
2006084613.tif 000002
【特許請求の範囲】
【請求項１】
光信号を受光し、受光量に応じた受光信号を生成する受光センサと、前記受光信号を微分する微分回路と、カソード端子が前記微分回路の出力部に接続されるとともにアノード端子がグランドに接続されるダイオードと、前記微分回路の出力信号の波形を整形する電圧変換回路からなる受光回路を備えることを特徴とする受光装置。
【請求項２】
前記ダイオードの種類が、ショットキーバリアダイオードであることを特徴とする請求項１に記載の受光装置。
【請求項３】
マスターストロボ装置の本発光に同調して発光を行うスレーブストロボ装置において、
マスターストロボ装置による予備発光を受光し、受光量に応じた受光信号を生成する受光センサと、前記受光信号を微分する微分回路と、前記微分回路の出力部とグランド間に設置され、カソード端子が前記微分回路の出力部に接続されるダイオードと、前記微分回路の出力信号を制御用の電圧レベルに変換する電圧変換回路からなる受光回路を備えることを特徴とするスレーブストロボ装置。
【請求項４】
前記ダイオードの種類が、ショットキーバリアダイオードであることを特徴とする請求項３に記載のスレーブストロボ装置。
【発明の詳細な説明】
【技術分野】
【０００１】
本発明は、受光装置に関し、具体的には、マスターストロボ装置の本発光に同調して発光するスレーブストロボ装置に適用可能な技術に関する。
【背景技術】
【０００２】
従来より、カメラと一体化等したストロボ装置（マスターストロボ装置）の本発光に同調させて、前記カメラとは離れた場所に位置するストロボ装置（スレーブストロボ装置）を発光させるワイヤレスストロボシステムはよく知られている。
【０００３】
この種のスレーブストロボ装置は、一般的に、マスターストロボ装置からの予備発光を受光し、光電変換等を行って同調制御用の信号を取り出す受光回路を備えている。そして、該受光回路として、マスターストロボ装置からの閃光発光（予備発光）を検出する受光センサと、該センサの出力信号を増幅するアンプと、該アンプの出力信号を波形整形する微分回路を備えた構成は周知である（例えば、特許文献１）。
【０００４】
図３は、従来のスレーブストロボ装置における受光回路の構成を示す回路図である。
【０００５】
図３において、１はマスターストロボ装置による閃光発光を受光し、光電変換により、受光量に応じた受光信号を出力する受光センサ、２は前記受光信号を増幅するアンプ、３は増幅した受光信号を波形整形するために微分する微分回路、４は微分回路３の出力信号ＶｄｓをＣＰＵ等の制御回路５を駆動するための電圧レベル（例えば５Ｖ）に変換する電圧変換回路である。
【０００６】
上記構成の受光回路において、微分回路３の出力信号Ｖｄｓは、次のように変動する。先ず、図示しないマスターストロボ装置による予備発光が受光センサ１によって検出されると、アンプ２の出力信号がＨＩＧＨレベルとなる。すると、微分回路３のコンデンサＣ１に過度電流が流れ、瞬間的にＶｄｓの電圧が跳ね上がり、その後、コンデンサＣ１の充電及び抵抗Ｒ１の作用によりわずかになだらかに下降する。そして、アンプ２の出力信号がＬＯＷレベルになると（発光が終了すると）、コンデンサＣ１の放電が開始されることで、Ｖｄｓは、アンプ２の出力信号のＨＩＧＨレベル時に跳ね上がったときと同じ量だけ瞬間的に下がり、マイナスレベルまで落ち込む。その後、Ｖｄｓは基準レベル（０Ｖ）まで徐々に回復し、以降の発光検出時においても略同一の変動を行う（図４（イ））。
【特許文献１】特開平１１−２１２１４８号公報
【発明の開示】
【発明が解決しようとする課題】
【０００７】
しかしながら、上記受光回路において、発光検出間隔が短いと、図４（ロ）に示すように、０Ｖに回復する前に、即ち、マイナスレベルからＶｄｓは電圧上昇を開始することになる。そうすると、その差分（マイナスレベル分）だけ上昇が抑えられ、また、降下時においても、その差分だけ、更にレベルが下がることになる。
【０００８】
その結果、発光間隔の短いマスターストロボ装置からの予備発光を連続検出する場合においては、図５に示すように、微分回路３の出力信号Ｖｄｓは、だんだんとマイナス側にシフトしてしまう波形となる。
【０００９】
かかるマイナス側へのシフトが進行すると、やがて、プラス側の電位が信号として検出できなくなるレベルまで低下してしまい（制御信号の取りこぼし）、マスターストロボ装置との同調ができなくなるおそれがある。
【００１０】
本発明は、上記問題点を解決するべくなされたもので、マスターストロボ装置からの予備発光に係る制御信号を取りこぼすことなく、確実に受信ができるスレーブストロボ装置を提供することを目的とする。
【課題を解決するための手段】
【００１１】
本発明の受光装置は、光信号を受光し、受光量に応じた受光信号を生成する受光センサと、前記受光信号を微分する微分回路と、カソード端子が前記微分回路の出力部に接続されるとともにアノード端子がグランドに接続されるダイオードと、前記微分回路の出力信号の波形を整形する電圧変換回路からなる受光回路を備えることを特徴とする。
【００１２】
上記構成の受光装置によれば、ダイオードの作用により、前記微分回路の出力信号の立ち下がりを下限基準値（当該ダイオードの特性等で定まる）までに止めることができ、その結果、微分回路の出力信号の波形の頭部（プラス側）が所定の電圧値以上に維持されるようになる。したがって、光信号を連続して受光しても、当該光信号に係る信号を取りこぼすことなく、確実な信号受信が可能となる。
【００１３】
また、本発明のスレーブストロボ装置は、マスターストロボ装置の本発光に同調して発光を行うスレーブストロボ装置において、マスターストロボ装置による予備発光を受光し、受光量に応じた受光信号を生成する受光センサと、前記受光信号を微分する微分回路と、前記微分回路の出力部とグランド間に設置され、カソード端子が前記微分回路の出力部に接続されるダイオードと、前記微分回路の出力信号を制御用の電圧レベルに変換する電圧変換回路からなる受光回路を備えることを特徴とする。
【００１４】
上記構成のスレーブストロボ装置によれば、ダイオードの作用により、前記微分回路の出力信号の立ち下がりを下限基準値（当該ダイオードの特性等で定まる）までに止めることができ、その結果、微分回路の出力信号の波形の頭部（プラス側）が所定の電圧値以上に維持されるようになる。したがって、マスターストロボ装置からの予備発光を連続して受光しても、当該予備発光に係る制御信号を取りこぼすことなく、確実な同調制御が可能となる。
【００１５】
また、前記ダイオードとして、順方向電圧降下の低いショットキーバリアダイオードを採用するのが好適といえる。
【発明の効果】
【００１６】
以上の如く、本発明の受光装置は、簡易な回路構成でありながら、光信号を連続して受光しても当該信号の取りこぼしを防止でき、確実な信号受信が可能となる。特に、本発明のスレーブストロボ装置は、簡易な回路構成でありながら、マスターストロボ装置からの連続発光に係る制御信号の取りこぼしを防止でき、確実な同調制御を実現できる。
【発明を実施するための最良の形態】
【００１７】
以下、本発明の実施形態に係る受光装置について、スレーブストロボ装置を例にとって図面を参酌しつつ説明する。
【００１８】
本実施形態に係るスレーブストロボ装置は、図示しないマスターストロボ装置（カメラと一体化等しているストロボ装置）の本発光に同調して発光するストロボ装置である。当該スレーブストロボ装置は、マスターストロボ装置からの予備発光（本発光の前に行われる）を受光し、該予備発光に係る制御信号を解析し、その結果に基づき同調制御を行う。
【００１９】
図１は、本実施形態に係るスレーブストロボ装置における受光回路の構成を示す回路図である。
【００２０】
図１の受光回路は、従来の受光回路（図３）と同様に、マスターストロボ装置による閃光発光を受光し、光電変換により、受光量に応じた受光信号を出力する受光センサ１、前記受光信号を増幅するアンプ２、該アンプ２により増幅した受光信号をノイズ成分の除去等を目的として波形整形する微分回路３及び該微分回路３の出力信号ＶｄｓをＣＰＵ等の制御回路５を駆動するための電圧レベル（例えば５Ｖ）に変換する電圧変換回路４を備えている。
【００２１】
以上の従来の構成に加え、本実施形態の受光回路には、ダイオード６が新たに追加されている。かかるダイオード６は、微分回路３とグランド（ＧＮＤ）間に設置され、そのカソード端子が微分回路３に接続されている。
【００２２】
ダイオード６を上記箇所に設置すると、その作用により、微分回路３の出力信号Ｖｄｓの電圧降下時の下限レベルを予め設定された基準値（下限基準値）に止めることができ、それによって、Ｖｄｓのプラス側の電位を所定の電圧値以上に維持することができる。
【００２３】
本実施形態では、ダイオード６として順方向電圧が約０．２Ｖと低いショットキーバリアダイオードを採用することで、かかる下限基準値を約−０．２Ｖに設定している（一般的なダイオードの場合、順方向電圧は約０．６Ｖとなり、上記下限基準値は約−０．６Ｖとなる）。
【００２４】
より詳細に説明すると、上記構成の受光回路では、微分回路３の出力信号Ｖｄｓは、次のように変動する。受光センサ１によって図示しないマスターストロボ装置からの予備発光が検出され、アンプ２の出力信号がＨＩＧＨレベルとなると、微分回路３のコンデンサＣ１に過度電流が流れ、瞬間的にＶｄｓの電圧が跳ね上がる。その後、コンデンサＣ１の充電及び抵抗Ｒ１の作用によりわずかになだらかに下降する。そして、アンプ２の出力信号がＬＯＷレベルになると（発光が終了すると）、コンデンサＣ１の放電が開始されることで、Ｖｄｓは、アンプ２の出力信号のＨＩＧＨレベル時に跳ね上がったときと同じ量だけ瞬間的に下がり、マイナスレベルまで落ち込む。その後、Ｖｄｓは基準レベル（０Ｖ）まで徐々に回復しようとする。ここで、Ｖｄｓが基準レベル（０Ｖ）まで回復する前に次の発光を受光すると、Ｖｄｓはマイナスレベルから上昇を開始するので、その差分（マイナスレベル分）だけプラス側の上昇が抑えられ、降下時においても、その差分だけ、更にレベルが下がることになる。これを複数繰り返すと、図２に示すように、（イ）の範囲においては、出力信号Ｖｄｓは、だんだんとマイナス側にシフトする波形となる。即ち、かかる範囲においては従来の受光回路による波形（図５）と同様となる。
【００２５】
しかし、本実施形態の受光回路では、ショットキーバリアダイオードであるダイオード６の作用によりＶｄｓの電圧は、下限基準値（約−０．２Ｖ）より下のレベルには降下しなくなる。つまり、ダイオード６は、小さな順方向電圧（本実施形態では、約０．２Ｖ）で動作するため、コンデンサＣ１の放電開始によりＶｄｓが急降下し、そのレベルが、約−０．２Ｖまで達すると、ダイオード６は電流を流し始める。そうすると、コンデンサＣ１の放電は（約−０．２Ｖのレベルまで）瞬間的に進行するからである。
【００２６】
以上のように、ダイオード６の作用によって、Ｖｄｓが、かかる下限基準値に到達した信号以降においては、その波形がそれ以上マイナス側にシフトしなくなる（図２（ロ））。したがって、マイナス側へのシフトの進行をストップでき、これによって、Ｖｄｓのプラス側（波形の頭部）を所定の電圧以上に維持できることになる。
【００２７】
したがって、連続した制御信号の取りこぼしを確実に防止でき、マスターストロボ装置と正確に同調させて制御することが可能となる。
【００２８】
尚、本発明に係る受光装置は、上記実施形態のようなスレーブストロボ装置に限定されるものではなく、本発明の要旨を逸脱しない範囲で種々の変更が可能である。例えば、本発明は、光信号にて通信を行うリモコン装置等の各種機器への適用も可能である。
【産業上の利用可能性】
【００２９】
本発明に係る受光装置は、連続する光信号を確実に検出できるため、例えば光信号にて通信を行うリモコン装置等への適用が期待される。特に、本発明に係るスレーブストロボ装置は、マスターストロボ装置による連続した予備発光に係る制御信号を確実に検出できるため、ワイヤレスストロボシステムにおけるスレーブストロボ装置への適用が期待される。
【図面の簡単な説明】
【００３０】
【図１】本発明の一実施形態に係るストロボ装置における受光回路の構成を示すブロック図
【図２】同実施形態において、微分回路の出力信号Ｖｄｓの波形を示す図
【図３】従来のストロボ装置における受光回路の回路構成を示すブロック図
【図４】従来の受光回路において、微分回路の出力信号Ｖｄｓの波形を示す図
【図５】微分回路の出力信号Ｖｄｓの変動を説明するための波形図
【符号の説明】
【００３１】
６  ダイオード
【図１】
2006084613.tif 000003
【図２】
2006084613.tif 000004
【図３】
2006084613.tif 000005
【図４】
2006084613.tif 000006
【図５】
2006084613.tif 000007